(57)【要約】【課題】フットゴルフのプレーができる施設不足を解消すると共に、比較的体力が乏しいプレーヤーも楽しむことができるうえ、施設側の競技場提供なども容易となるようなフットゴルフ用カップを有するフットゴルフ場およびその設置方法を提供する。【解決手段】シート状部材からなり、両端部分に羽目合わせ部が設けられた複数の構成部材と、各構成部材の両端部分にそれぞれ設けられ前記構成部材の隣同士を着脱自在に結合させる羽目合わせ部分とを具備することを特徴とするフットゴルフ用カップを１以上有するフットゴルフ場。【選択図】図１０
2018102900.tif 000002
【特許請求の範囲】
【請求項１】
シート状部材からなり、両端部分に羽目合わせ部が設けられた複数の構成部材と、各構成部材の両端部分にそれぞれ設けられ前記構成部材の隣同士を着脱自在に結合させる羽目合わせ部分とを具備することを特徴とするフットゴルフ用カップを１以上有するフットゴルフ場。
【請求項２】
シート状部材からなり、両端部分に羽目合わせ部が設けられた複数の構成部材と、各構成部材の両端部分にそれぞれ設けられ前記構成部材の隣同士を着脱自在に結合させる羽目合わせ部分とを具備することを特徴とするフットゴルフ用カップを、１以上設置することによりフットゴルフ場を設置する方法。
【発明の詳細な説明】
【技術分野】
【０００１】
本発明は、サッカーとゴルフを融合させたフットゴルフで使用されるフットゴルフ場、およびその設置方法に関する。
【背景技術】
【０００２】
フットゴルフはサッカーとゴルフを融合させたような形態のニュースポーツの一種であり、サッカーボールの５号球などが使用され、プレーヤーがゴルフ場の９ホールまたは１８ホールを回って全ホールにおける打数の少なさを競うストロークプレーで順位が決定される。すなわち、フットゴルフはゴルフ場などにおいて足でサッカーボール等を蹴り、所定の位置の地面に穿かれる等して形成されたフットゴルフ用カップにサッカーボール等を入れるのに要した打数を競うスポーツである。
【０００３】
また、フットゴルフはサッカーボールを使用することとゴルフクラブを使用せずに足でボールを蹴ること以外は基本的にゴルフと同様のスポーツであり、次のような３つの課題が存在すると考えられていた。
【０００４】
第１の課題は、フットゴルフをプレーできるゴルフ場等の施設が不足していることである。すなわち、フットゴルフをプレーするためには、プレーヤーがフットゴルフに対応しているゴルフ場まで出かけて行かなければならないうえ、フットゴルフに対応しているゴルフ場の数は非常に少なく、２０１６年１０月時点で、関東地域で３コース、関西地域で1コースがある程度に過ぎず、フットゴルフをプレーできるゴルフ場等の施設が不足しているという問題があった。また、傾斜のあるゴルフ場のグリーンの部分に大きさや深さを一定にしてフットゴルフを行う為のホールを９乃至１８個も作成するのは技術的にも困難なうえ、フットゴルフ用カップとして開けた穴をフットゴルフ用施設を止めた後に埋め周囲と同様に芝を整える必要があるなど費用や時間がかかるという問題もあった。
【０００５】
第２の課題はフットゴルフをプレーするには体力が必要で年配者や障碍者など体力が比較的乏しいプレーヤーに不向きとなっていることである。すなわち、サッカーボールを強く蹴って行うフットゴルフの性質上、サッカー経験者が有利となり、また、少なくとも好成績を出すためには相当の体力が必要で年配者や障碍者など体力が比較的乏しいプレーヤーに不向きとなっている。
【０００６】
第３の課題はゴルフ場経営者など施設側にとってフットゴルフをプレーできる競技場の提供はコスト的に難しいことである。すなわち、フットゴルフをプレーできる競技場を提供する施設側にとっては、フットゴルフに対応させるべく貴重なゴルフコース等を改造する必要があるなど、未だ競技人口の少ないフットゴルフプレーヤーのために多額の費用をかけてフットゴルフ場を準備しなければならずコスト的に難しい面があった。
【０００７】
一方、このフットゴルフで使用されるフットゴルフ用カップ及びそれを用いたフットゴルフキットに類似した概念の従来技術としては、下記特許文献１に記載されている卓球用のボール及び卓球セットや下記特許文献２に記載されている傾斜可能な簡易ゴルフ練習台がある。しかし、卓球用のボール及び卓球セットは娯楽としての卓球の遊戯性向上を図るものであり、傾斜可能な簡易ゴルフ練習台は手動で台の高さを変えゴルフ場の傾斜を想定した練習ができるようにしたものである。この為、これらの従来技術はいずれも上記３つの課題を解決することが困難なものである。
【先行技術文献】
【特許文献】
【０００８】
【特許文献１】実開平７−３７２４２号公報
【特許文献２】特開２００２−３５１８９号公報
【発明の概要】
【発明が解決しようとする課題】
【０００９】
本発明は前述のような課題に鑑みてなされたものであり、その目的は、前記３つの課題を解決できるようなフットゴルフ場、およびその設置方法を提供することにある。
【課題を解決するための手段】
【００１０】
本発明により、両端部分に羽目合わせ部が設けられている複数の構成部材の隣同士が羽目合わされてフットゴルフ用カップが一体的に形成される。このため、フットゴルフ用に整備されたゴルフ場に限らず概ね平らな場所であれば容易にフットゴルフを行うことができるようになり、フットゴルフをプレーできるゴルフ場等の施設が不足しているという前記第１の課題が解決する。すなわち、本発明に係わるフットゴルフ用カップやそれを用いたフットゴルフキットを使用することにより、フットゴルフ用に整備されたゴルフ場以外にも、公園の広場、河川敷、フットサル競技場、サッカー競技場、陸上競技場、体育館など概ね平らな場所でフットゴルフが可能になるため、プレーヤー側が感じていたフットゴルフ競技場が少ないうえに遠いという前記第１の課題が解消する。
【００１１】
また、本発明によれば、従来フットゴルフを楽しむには体力が必要で体力が比較的乏しいプレーヤーに不向きとなっているという前記第２の課題も解消する。すなわち、本発明に係わるフットゴルフ用カップやそれを用いたフットゴルフキットを用いることにより、施設側は従来よりも小規模なコースの設営ができるようになる。このことも相俟って、サッカー未経験者や障碍者など体力が乏しいプレーヤーでも身近な小規模コースや広場等でフットゴルフを楽しむことができるようになる。  
【００１２】
更に、本発明により、フットゴルフ用のカップを適度の柔軟性と硬度を併せ持つシート状部材を用いて円錐台状に形成して地面などへの設置も容易になる。このため、ゴルフ場経営者など施設側にとってフットゴルフをプレーできる競技場の提供はコスト的に難しいという前記第３の課題も解決する。すなわち、これまでサッカーボール２個分にも相当するような大きな穴を地面に穿たなければならないという従来のフットゴルフ用カップに代わり設置も容易な本発明に係わるフットゴルフ用カップにより、既存設備の改造を強いられたりする施設側のコスト面の課題が解消する。
【００１３】
本明細書によれば以下の発明が提供される。
（１）フットゴルフで使用されるカップにおいて、シート状部材からなり、両端部分に羽目合わせ部が設けられた複数の構成部材と、各構成部材の両端部分にそれぞれ設けられ前記構成部材の隣同士を着脱自在に結合させる羽目合わせ部分とを具備することを特徴とするフットゴルフ用カップを１以上有するフットゴルフ場。
（２）フットゴルフで使用されるカップにおいて、シート状部材からなり、両端部分に羽目合わせ部が設けられた複数の構成部材と、各構成部材の両端部分にそれぞれ設けられ前記構成部材の隣同士を着脱自在に結合させる羽目合わせ部分とを具備することを特徴とするフットゴルフ用カップを、１以上設置することによりフットゴルフ場を設置する方法。
（３）フットゴルフで使用されるカップにおいて、両端部分に羽目合わせ部が設けられた複数の構成部材と、各構成部材の両端部分にそれぞれ設けられ前記構成部材の隣同士を着脱自在に結合させる羽目合わせ部分とを、具備することを特徴とするフットゴルフ用カップ。
（４）前記カップの形状は穴あき円錐台状であることを特徴とする（３）に記載のフットゴルフ用カップ。
（５）前記構成部材における隣同士の羽目合わせ部分は入れる側の大きさと受ける側の大きさが略同一となっていることを特徴とする（３）又は（４）に記載のフットゴルフ用カップ。
（６）（３）〜（５）のフットゴルフ用カップを作成するための部材であって、穴あき円錐台に組み立てられるように、２つの大小の円弧とそれをつなぐ半径方向の直線からなり、直線部分に外側に向かって、上底が下底よりも長い台形が１または２以上突き出しており、他の部材の突き出した部分の間に羽目込むことができるようになっている部材。
【００１４】
（７）（３）乃至（５）のいずれかに記載されたフットゴルフ用カップと、当該カップの中央部分に設けられた穴空き部分に入れられるボールを具備したことを特徴とするフットゴルフキット。
（８）前記ボールはサッカーボールまたはバレーボールであることを特徴とする（７）に記載のフットゴルフキット。
（９）フットゴルフ用カップの組み立て方法であって、上底が下底よりも長い台形からなる複数の構成部材を用い、互いに隣あう相手方構成部材に設けられている各凹凸部分を羽目込むことにより、穴あき円錐台を組み立てる方法。
（１０）フットゴルフ用カップの製造方法であって、挿入された部分が挿入される凹部よりも大きいことを特徴とする複数の構成部材を用い、互いに隣あう相手方構成部材に設けられている各凹凸部分を羽目込むことにより、フットゴルフ用カップを製造する方法。
（１１）（３）〜（５）のフットゴルフ用カップを１以上有するフットゴルフ場。
（１２）（３）〜（５）のフットゴルフ用カップを１以上設置することによりフットゴルフ場を設置する方法。
【発明の効果】
【００１５】
本発明によれば、フットゴルフコースの設置を飛躍的に身近にすることができることから、従来のフットゴルフコースが非常に限定的にしか存在しないうえ都心部からも遠いという課題を解消する。また、例えば商業施設内に全長10メートルにも満たない小規模なコースを設営するなど身近な施設とすることができ、高齢者や子供など体力が乏しいプレーヤー或いは初級者などにも体験が容易となる機会を提供できるという効果を発揮する。
【図面の簡単な説明】
【００１６】
【図１】図１は、本発明実施形態の構成斜視図である。
【図２】図２は、本発明実施形態の正面図である。
【図３】図３は、本発明実施形態の平面図である。
【図４】図４は、本発明の部材を示す図である。
【図５】図５は、羽目合わせ前の部材を示す図である。
【図６】図６は、部材を羽目合わせた後の状態を示す図である。
【図７】図７は、本発明のフットゴルフ用カップにボールが入った状態を示す図である。
【図８】図８は、本発明の部材を羽目合わせる際に凸部をたわませている図である。
【図９】図９は、羽目合わせた後の部材を裏側から見た図である。
【図１０】図１０は、本発明のフットゴルフ場の一例を示す図である。
【発明を実施するための形態】
【００１７】
以下、本発明を実施するための形態について、図を用いて詳しく説明する。なお、本発明は以下の実施形態に限定されるものではなく、本発明の趣旨を逸脱しない範囲内で変更や改良等が加えられたものも本発明の範囲に入るものとする。  
【００１８】
図１は本発明実施形態の構成斜視図であり、図２は本発明実施形態の正面図、図３は本発明実施形態の平面図である。これらの図において、１は穴あき円錐台状に形成されたフットゴルフ用カップ、１ａ，１ｂは本発明実施形態の縦断面図における台形の上底を形成する線分の両端、１ｃ，１ｄは本発明実施形態の縦断面図における台形の下底を形成する線分の両端、１ｅ〜１ｈは隣同士が羽目合わされてフットゴルフ用カップ１を形成する構成部材、２はフットゴルフ用カップ１の中央部分に形成されている穴あき部分である。２ａは、カップの中央部となる円筒形の部材である。なお、構成部材１ｅ〜１ｈにおける隣同士の羽目合わせ部分は、例えば略台形状の凸状部からなる入れる側の大きさと、例えば略台形状の凹状部からなる受ける側の大きさが略同一形状となっている。フットゴルフ用カップの外形は、例えば、９００ｍｍが好ましく用いられるが、使用場所および／または使用ボールの大きさなどに応じて適宜拡大、縮小してもよい。拡大、縮小は相似形で行うのが好ましいが、これに限られない。  
【００１９】
このような構成からなる本発明の実施形態において、フットゴルフ用カップ１はポリプロピレンシートのような適度の柔軟性と硬度を併せ持つシート状部材を使用し、円錐体の頭部を底面に対し平行に切断して円錐台状に形成されている。また、フットゴルフ用カップ１は例えば４個のカップ構成部材１ｅ〜１ｈが隣同士羽目合わされることにより一体的に形成されている。ポリプロピレンシートの厚さは本発明の目的が達成できる限り制限はないが、好ましい上限としては、５ｍｍ以下、４ｍｍ以下、３ｍｍ以下、２ｍｍ以下、１ｍｍ以下、０．８ｍｍ以下であり、好ましい下限は、０．２ｍｍ以上、０．３ｍｍ以上、０．４ｍｍ以上、０．５ｍｍ以上、０．６ｍｍ以上、０，７ｍｍ以上である。上限下限はいずれの組合せでもよい。  
【００２０】
なお、構成部材１ｅ〜１ｈの数は本実施形態の４個に限定されるものではなく、２個、３個、５個、６個、７個、８個あるいはそれ以上であっても良い。また、各構成部材１ｅ〜１ｈの隣同士の羽目合わせる部分の形状は、台形が好ましく、上底が下底よりも大きくなっている。この構造により、羽目合わせた場合に抜けにくく、より強固に結合させることができる。羽目込まれる側も上底が大きい台形が突き出した構造になっており、台形の間のくぼみの下側に他方の台形をもぐりこませることで結合させる。羽目合わせる部分の形状は台形に限らず、抜けにくく、使用に耐える強度を発揮できる形状であればよい。例えば、菱形、五角形、楕円形等であってもよい。  
【００２１】
更に、穴あき部分２の直径は使用されるフットゴルフ用ボールの直径の「２倍プラス２〜３cm」であることが好ましいものの約２倍程度の大きさであれば特に問題はなく、必要に応じて約２倍程度以外の種々の大きさにすることも可能である。直径の下限は、例えば、ボールの１．４倍以上、１．５倍以上、１．６倍以上、１．７倍以上、１．８倍以上、１．９倍以上であってもよく、上限は、２．１倍以下、２．２倍以下、２．３倍以下、２．４倍以下、２．５倍以下、２．６倍以下、２．７倍以下、２．８倍以下、２．９倍以下、３．０倍以下などのいずれであってもよい。  
【００２２】
図２において、斜辺１ｂ，１ｃと底辺１ｃ，１ｄの挟角や斜辺１ａ，１ｄと底辺１ｃ，１ｄの挟角はフットゴルフ用カップ１の斜面と底面の角度に相当し、本実施形態では１６度であることが好ましいものの１０〜２５度の範囲内であれば特に問題はなく、必要に応じて１０〜２５度の範囲以外の傾斜角にすることも可能である。すなわち、好ましい角度の下限としては、１０度以上、１１度以上、１２度以上、１３度以上、１４度以上、１５度以上であり、好ましい角度の上限としては、２５度以下、２４度以下、２３度以下、２２度以下、２１度以下、２０度以下、１９度以下、１８度以下、１７度以下である。  
【００２３】
このような構成からなるフットゴルフ用カップ１の円錐周縁部によって、転がってくるボールの慣性力が正しくカップインするために必要な力よりも弱ければ、カップインする以前にて押し戻され、逆に、強すぎればボールは円柱部を飛び越えて通過してしまう結果となる。また、ボールの進行方向が、円柱方向からずれていれば、そのずれた方向へ、より排除される結果となる。以上から、適正な強さと、適正な方向をもって転がり込んできたボールのみがカップインする結果となり、「ボールがカップに沈む」という快感も損なわないため、フットゴルフ本来の、地面に穴を穿って作られたカップと同等の効果を発揮する。  
【００２４】
また、本発明に係わるフットゴルフ用カップやフットゴルフキットは複製が容易なうえ可搬可能である。特に、フットゴルフ用カップをその場に置くだけという設置の簡便さから、コンクリート面、舗装面、体育館のようなウッドデッキ面、カーペットなどの床材施工面、人工芝面、天然芝または雑草を含む天然地面など、概ね平らな場所であれば屋内屋外及びその床面材質を問わずにフットゴルフのコースを設営可能とし、従来の「カップ用に地面に大きな穴を穿たなければならない」という課題を解消する効果を発揮する。
【００２５】
図５は本発明実施形態における羽目合わせ前の接合部を説明する為の図、図６は本発明実施形態における羽目合わせ時の接合部を説明する為の参考説明図、図７は本発明実施形態の使用状態を説明するための参考説明図である。これらの図において、１ｉ，１ｊは構成部材１ｈの一方の周縁部に設けられた略台形状の凸状部、１ｋ，１ｌは構成部材１ｅの一方の周縁部に設けられ略台形状の凹状部である。  
【００２６】
図５において、羽目合わせ部分の入れる側となる略台形状の凸状部１ｉ，１ｊの各大きさと、受ける側となる略台形状の凹状部１ｋ，１ｌの各大きさは略同一になっている。この場合、凹部の底辺よりも、凸部の羽目込まれる部分の方が大きいことが好ましい。台形であれば、上底の方がより大きい形状であることが好ましく、この構造により、容易には抜けない強度が得られる。  
【００２７】
なお、本発明における羽目合わせ部の形状は、本実施形態のような略台形状の凹凸形状に限定されるものではなく、フットゴルフ用カップ１の各構成部材１ｅ〜１ｈを隣同士密接に羽目合わせることができる種々の形状、例えば、円形、楕円形、多角形あるいはそれらの組合せなどが可能であるがそれらに限られない。要は、部材を羽目合わせることができ、容易には抜けない形状であればよい。また、各構成部材１ｅ〜１ｈの結合をより確実にするため、羽目合わせた部分に着脱可能なテープなどを貼着してもよい。  
【００２８】
また、羽目合わせ作業は略台形状の凸状部１ｉ，１ｊの各突起部分をそれぞれ指でたわませて略台形状の凹状部１ｋ，１ｌの各凹部分に羽目込むのが好ましい。そのため、本発明のフットゴルフ用カップの材質はある程度の柔軟性と硬さを有する材質が好ましい。例えば、ポリエチレン、ポリプロピレン、ポリ塩化ビニル、ポリ塩化ビニリデン、ポリスチレン、ポリ酢酸ビニルポリプロピレン、ポリカーボネートなどが好ましく用いられるが、これらに限られず、フットゴルフ用カップに必要な柔軟性と硬さを有する材質であれば使用できる。  
【００２９】
図７において、ボール３は例えば直径２０ｃｍのサッカーボールが使用されることが多いが、体力が乏しいプレーヤーの場合は運動量が比較的少なくプレーできるバレーボールなどが使用されることもある。また、ボールの大きさ、フットゴルフ用カップの大きさは適宜変更してもよく、例えば、ボールとフットゴルフ用カップをそれぞれ１／２、１／３などに縮小してもよい。このように縮小することにより、比較的狭い場所などでも手軽にゲームを楽しめるようになる。また、フットゴルフ用カップ１の穴あき部２の深さは本発明実施形態で例えば７ｃｍとなっていて、ボール３の下方１／３程度が隠れるように構成されている。  
【００３０】
また、各構成部材１ｅ〜１ｈには図５に示すような凹凸の羽目合わせ部分が設けられており、フットゴルフ用カップ１を準備する者などが図８で示すように指でつまみながら各構成部材１ｅ〜１ｈの隣同士を羽目合わせ、最終的に各構成部材１ｅ〜１ｈを一体化させてフットゴルフ用カップ１を形成する。  
【００３１】
なお、このフットゴルフ用カップ１は地中に一定程度(例えば１／３程度)埋め込まれることにより、固定して使用されることもある。また、地面に固定するための三角形、四角形、五角系等の突起を設けて、突起部分を地面に挿入して固定してもよい。  
【００３２】
本発明のフットゴルフカップまたはキットを用いて、フットゴルフ場を設置（設営）することができる。フットゴルフカップを組み立てて、所定の場所に設置する（置く）だけでフットゴルフ場を設置することができる。フットゴルフ場を設置する場所としては、例えば、サッカー場、フットサル場、陸上競技場、公園、広場、体育館、商業施設内、運動場、ゲートボール場、駐車場、屋上、砂浜等が挙げられるがこれらに限られない。  
【００３３】
本発明のフットゴルフ場は、例えば、人工的に作成した芝生や人工芝等の競技場や体育館等の屋内等の人工物に設置してもよく、天然の地形を利用したゴルフコースのような自然と人工的に作成したものの複合した地形に設置してもよい。また、自然の地形に設置してもよいが、不要な岩や木等を取り除き、草も刈るなど一定程度の整備をしたうえで設置することが好ましい。本発明のフットゴルフ場は、地面を掘る必要がないことから、自然を痛めることなく、迅速かつ容易にフットゴルフのコースを設営し、競技を行うことができる。さらに、撤収も迅速かつ容易にできる。コースレイアウトも自由にでき、長さが短いコースや、体力のない女性や子供、高齢者用のフットゴルフ場も容易に設置できる。  
【００３４】
本発明のフットゴルフ場には、ゴルフ場のティーカップに相当するティイングマーカーが設置されるのが好ましい。フットゴルフは、ティイングマーカーからボールを蹴って、フットゴルフカップに入れるまでの打数を競うものである。ゲーム性を高めるために、ゴルフコースのように、池、斜面、バンカー等の障害物を設置してもよい。池は天然や人工の池を利用してもよく、ロープ等で模擬的に作成してもよい。あるいは、カラーコーン（登録商標）を設置してもよく、斜面を板で設置することもできる。また、ゴルフでいうＯＢ（ｏｕｔ  ｏｆ  ｂｏｕｎｄｓ、コース外）を設定してもよい。また、各コース間に境界線を設け、さらに、コースの枠線を設けてもよい。該境界線または枠線を出た場合にはＯＢとするルールにしてもよい。    
【実施例】
【００３５】
以下、本発明の実施例について図を参照しながら説明する。なお、本発明はいかなる意味においても、これらの実施例に限定されるものではなく、本発明の趣旨を逸脱しない範囲で変更や改良等が加えられたものも本発明の範囲に入るものとする。  
【００３６】
（実施例１）  先ず、全体構成は次のようになっている。すなわち、適度な柔軟性と硬度を持つシート状部材で薄い円錐型に形成した後、その頭部を底面に対して平行に切断する。また、同じシート状部材で円錐周縁部と同じ高さ、かつ開口部と同じ直径をもつ円柱を構成する。これらの円錐周縁部と円柱部を、中心を同一にしながら一体的に組み合わせてフットゴルフ用カップ１を構成する。  
【００３７】
なお、フットゴルフ用カップ１の円錐周縁部においては、可搬性を向上させるため、上面から見て９０度ずつに４分割し、それぞれが羽目合わせ方式で容易に組み立てられるようになっていることを特徴とする。  
【００３８】
（実施例２）  本発明のフットゴルフ場の一例を図１０に示す。図１０はフットサルコートに設置する一例を示す。４はフットサルコート（フットゴルフコース）の枠線、５はフットゴルフコースの境界線、６はティイングマーカー、７は障害物、８はフットゴルフカップである。図１０では、フットゴルフ用カップ８を３個設置している。ティイングマーカー６にボールを置き、蹴ることにより、フットゴルフカップ７に入れるまでの打数を競う。境界線４を超えるとゴルフでいうＯＢとなる。境界線は３０ｃｍ程度の高さの壁にするのが好ましいが、ロープ等で代用してもよい。障害物６は、小さい丸はカラーコーン等、長方形は板を角度をつけて設置し斜面のようにする、楕円はロープ等を使用して作成し、ゴルフでいう池（ウォーターハザード）と同様に扱う。
【作用】
【００３９】
フットゴルフ用カップ１の円錐周縁部によって、３６０度いかなる方向からも転がってくるフットゴルフ用ボール３を均等に受け入れる作用を発揮する。また、フットゴルフ用カップ１の円錐周縁部を駆け上ってきたボール３の重心が、円柱部の内径よりも内側を通過しようとすれば、重力によって、円柱の内側でそのボール３が確保される所謂カップイン作用を発揮する。
【産業上の利用可能性】
【００４０】
本発明によれば、フットゴルフをプレーできる施設が少ないことや年配者や障碍者などには難しいような体力を必要としていた従来の課題を一挙に解決できるため、フットゴルフをプレーする人口が増えフットゴルフ用カップ及びそれを用いたフットゴルフキットの製造業やフットゴルフのイベント産業に利用できる。
【符号の説明】
【００４１】
１    フットゴルフ用カップ  １ａ，１ｂ    台形の上底を形成する線分の両端  １ｃ，１ｄ    台形の下底を形成する線分の両端  １ｅ〜１ｈ    隣同士が羽目合わされてフットゴルフ用カップ１を一体的に形成する構成部材  １ｉ，１ｊ    構成部材１ｅの一方の周縁部に設けられた略台形状の凸状部
１ｋ，１ｌ    構成部材１ｆの一方の周縁部に設けられ略台形状の凹状部
２    フットゴルフ用カップ１の中央部分に形成されている穴あき部分  ２a    フットゴルフ用カップの内側の円筒部分
３    フットゴルフ用カップ１の穴あき部分２に収容されるフットゴルフ用のボール
４    フットゴルフコースの枠線
５    フットゴルフコースの境界線
６    ティイングマーカー
７    障害物
８    フットゴルフ用カップ
【図１】
2018102900.tif 000003
【図２】
2018102900.tif 000004
【図３】
2018102900.tif 000005
【図４】
2018102900.tif 000006
【図５】
2018102900.tif 000007
【図６】
2018102900.tif 000008
【図７】
2018102900.tif 000009
【図８】
2018102900.tif 000010
【図９】
2018102900.tif 000011
【図１０】
2018102900.tif 000012